【手続補正書】
【提出日】平成20年4月28日(2008.4.28)
【手続補正１】
【補正対象書類名】明細書
【補正対象項目名】特許請求の範囲
【補正方法】変更
【補正の内容】
【特許請求の範囲】
【請求項１】  色材の量または色材の種類が異なる複数のインクと前記複数のインクのそれぞれと接触することによって当該インクの色材に所定の作用を生じさせる処理液とを被記録材に吐出する記録ヘッドを用いて記録を行なうインクジェット記録方法において、
前記記録ヘッドから吐出する複数のインクそれぞれのインクの色材の量または種類に応じて、前記記録ヘッドから吐出する処理液量を異ならせることを特徴とするインクジェット記録方法。
【請求項２】  前記複数のインクは、当該複数のインクそれぞれで色材の量が異なることにより同系色で濃度の異なるインクであって、
前記複数のインクのうち第１インクに対する処理液量を、第１インクより濃度の低い第２インクに対する処理液量よりも多くすることを特徴とする請求項１に記載のインクジェット記録方法。
【請求項３】  前記処理液は、前記複数のインクそれぞれに対応する吐出データと該吐出データを間引くためのマスクとに基づいて、前記記録ヘッドから吐出され、
前記複数のインクそれぞれで前記マスクを異ならせることにより、前記第１インクに対する処理液量を前記第２インクに対する処理液量よりも多くすることを特徴とする請求項２に記載のインクジェット記録方法。
【請求項４】  前記第１インクの吐出データを間引くためのマスクの記録比率は、前記第２インクの吐出データを間引くためのマスクの記録比率よりも高いことを特徴とする請求項３に記載のインクジェット記録方法。
【請求項５】  前記記録ヘッドより吐出される前記第１インクの一回の吐出量は、前記第２インクの一回の吐出量よりも大きいことを特徴とする請求項２に記載のインクジェット記録方法。
【請求項６】  前記複数のインクは、当該複数のインクそれぞれで色材の種類の異なるインクであって、
前記処理液は、前記複数のインクそれぞれに対応する吐出データと該吐出データを間引くためのマスクとに基づいて、前記記録ヘッドから吐出され、
前記複数のインクそれぞれで前記マスクを異ならせることを特徴とする請求項１に記載のインクジェット記録方法。
【請求項７】  前記複数のインクそれぞれの吐出データを間引くためのマスクの記録比率が、前記複数のインクごとに異なることを特徴とする請求項６に記載のインクジェット記録方法。
【請求項８】  前記記録ヘッドより吐出される前記複数のインクそれぞれの一回の吐出量を異ならせることを特徴とする請求項６に記載のインクジェット記録方法。
【請求項９】  前記複数のインクそれぞれの色材の量または種類に応じて当該複数のインクそれぞれについて重み付けされた値を用い、
前記複数のインクのうち記録に用いられるインクの前記重み付けされた値に基づいて、記録ヘッドから吐出される処理液量を決定することを特徴とする請求項１に記載のインクジェット記録方法。
【請求項１０】  前記処理液の所定の作用は、前記インクの色材を不溶化または凝集させる作用であることを特徴とする請求項１ないし９のいずれかに記載のインクジェット記録方法。
【請求項１１】  色材の量または色材の種類が異なる複数のインクと前記複数のインクのそれぞれと接触することによって当該インクの色材に所定の作用を生じさせる処理液とを被記録材に吐出する記録ヘッドを用いて記録を行なうインクジェット記録装置において、
前記記録ヘッドから吐出する複数のインクそれぞれのインクの色材の量または種類に応じて、前記記録ヘッドから吐出する処理液量を異ならせることを特徴とするインクジェット記録装置。
【請求項１２】  前記複数のインクは、当該複数のインクそれぞれで色材の量が異なることにより同系色で濃度の異なるインクであって、
前記複数のインクのうち第１インクに対する処理液量を、第１インクより濃度の低い第２インクに対する処理液量よりも多くすることを特徴とする請求項１１に記載のインクジェット記録装置。
【請求項１３】  前記処理液は、前記複数のインクそれぞれに対応する吐出データと該吐出データを間引くためのマスクとに基づいて、前記記録ヘッドから吐出され、
前記複数のインクそれぞれで前記マスクを異ならせることにより、前記第１インクに対する処理液量を前記第２インクに対する処理液量よりも多くすることを特徴とする請求項１２に記載のインクジェット記録装置。
【請求項１４】  前記第１インクの吐出データを間引くためのマスクの記録比率は、前記第２インクの吐出データを間引くためのマスクの記録比率よりも高いことを特徴とする請求項１３に記載のインクジェット記録装置。
【請求項１５】  前記記録ヘッドより吐出される前記第１インクの一回の吐出量は、前記第２インクの一回の吐出量よりも大きいことを特徴とする請求項１２に記載のインクジェット記録装置。
【請求項１６】  前記複数のインクは、当該複数のインクそれぞれで色材の種類の異なるインクであって、
前記処理液は、前記複数のインクそれぞれに対応する吐出データと該吐出データを間引くためのマスクとに基づいて、前記記録ヘッドから吐出され、
前記複数のインクそれぞれで前記マスクを異ならせることを特徴とする請求項１１に記載のインクジェット記録装置。
【請求項１７】  前記複数のインクそれぞれの吐出データを間引くためのマスクの記録比率が、前記複数のインクごとに異なることを特徴とする請求項１６に記載のインクジェット記録装置。
【請求項１８】  前記記録ヘッドより吐出される前記複数のインクそれぞれの一回の吐出量を異ならせることを特徴とする請求項１６に記載のインクジェット記録装置。
【請求項１９】  前記複数のインクそれぞれの色材の量または種類に応じて当該複数のインクそれぞれについて重み付けされた値を用い、
前記複数のインクのうち記録に用いられるインクの前記重み付けされた値に基づいて、記録ヘッドから吐出される処理液量を決定することを特徴とする請求項１１に記載のインクジェット記録装置。
【請求項２０】  前記処理液の所定の作用は、前記インクの色材を不溶化または凝集させる作用であることを特徴とする請求項１１ないし１９のいずれかに記載のインクジェット記録装置。
【手続補正２】
【補正対象書類名】明細書
【補正対象項目名】００１６
【補正方法】変更
【補正の内容】
【００１６】
【課題を解決するための手段】
そのために本発明では、色材の量または色材の種類が異なる複数のインクと前記複数のインクのそれぞれと接触することによって当該インクの色材に所定の作用を生じさせる処理液とを被記録材に吐出する記録ヘッドを用いて記録を行なうインクジェット記録方法において、前記記録ヘッドから吐出する複数のインクそれぞれのインクの色材の量または種類に応じて、前記記録ヘッドから吐出する処理液量を異ならせることを特徴とする。
【手続補正３】
【補正対象書類名】明細書
【補正対象項目名】００１７
【補正方法】変更
【補正の内容】
【００１７】
好ましくは、前記複数のインクは、当該複数のインクそれぞれで色材の量が異なることにより同系色で濃度の異なるインクであって、前記複数のインクのうち第１インクに対する処理液量を、第１インクより濃度の低い第２インクに対する処理液量よりも多くすることを特徴とする。
【手続補正４】
【補正対象書類名】明細書
【補正対象項目名】００１８
【補正方法】変更
【補正の内容】
【００１８】
また、色材の量または色材の種類が異なる複数のインクと前記複数のインクのそれぞれと接触することによって当該インクの色材に所定の作用を生じさせる処理液とを被記録材に吐出する記録ヘッドを用いて記録を行なうインクジェット記録装置において、前記記録ヘッドから吐出する複数のインクそれぞれのインクの色材の量または種類に応じて、前記記録ヘッドから吐出する処理液量を異ならせることを特徴とする。
【手続補正５】
【補正対象書類名】明細書
【補正対象項目名】００１９
【補正方法】変更
【補正の内容】
【００１９】
好ましくは、前記複数のインクは、当該複数のインクそれぞれで色材の量が異なることにより同系色で濃度の異なるインクであって、前記複数のインクのうち第１インクに対する処理液量を、第１インクより濃度の低い第２インクに対する処理液量よりも多くすることを特徴とする。